(57)【要約】【課題】部品及びスペースの無駄がなく、省スペース化を促進させる。【解決手段】原稿の画像を読み取る画像読取部Ｃと、画像読取部Ｃの下方に設けられた胴内排紙空間Ｄを挟んで配置され、用紙に画像を形成する画像形成部Ｂと、画像形成部Ｂから画像読取部Ｃと画像形成部Ｂとの間の胴内排紙空間Ｄ側に用紙を排出する排出口５３と、を備えた画像形成装置において、前記胴内排紙空間Ｄに、前記排出口５３から排出される用紙に穿孔処理を施す穿孔ユニットＰを配置可能な配置空間を隔てて前記用紙を前段から後段へ搬送し、あるいは反転させて前段に戻す反転ユニットＲと、当該反転ユニットＲから搬入された用紙に対して所定の後処理を施す後処理ユニットＦを設け、前記配置空間には、前記穿孔ユニットＰまたは前記穿孔ユニットＰを省略して前記反転ユニットＲを配置する。【選択図】図１９
2010085431.tif 000002
【特許請求の範囲】
【請求項１】
原稿の画像を読み取る画像読取部と、
前記画像読取部の下方に設けられた空間部を挟んで配置され、記録部材に画像を形成する画像形成部と、
前記画像形成部から前記画像読取部と前記画像形成部との間の前記空間部に記録部材を排出する排出部と、
を備えた画像形成装置において、
前記空間部に、前記排出部から排出される記録部材に穿孔処理を施す穿孔ユニットを配置可能な配置空間を隔てて前記記録部材を前段から後段へ搬送し、あるいは反転させて前段に戻す反転ユニットと、当該反転ユニットから搬入された記録部材に対して所定の後処理を施す後処理ユニットが設けられ、
前記配置空間には、前記穿孔ユニットまたは前記穿孔ユニットを省略して前記反転ユニットが配置されること
を特徴とする画像形成装置。
【請求項２】
請求項１記載の画像形成装置において、
前記空間部を構成する画像形成装置本体側と前記穿孔ユニットとの間で位置決めする第１の位置決め手段と、
前記穿孔ユニットと前記反転ユニットの間で位置決めする第２の位置決め手段と、
を備え、前記穿孔ユニットを前記配置空間に配置する場合には、前記第１及び第２の位置決め手段によって位置決めすること
を特徴とする画像形成装置。
【請求項３】
請求項１または２記載の画像形成装置において、
前記後処理ユニットが記録部材の搬送方向にスライド可能に設置されていることを特徴とする画像形成装置。
【請求項４】
請求項３記載の画像形成装置において、
前記後処理ユニットのスライド移動を規制するロック手段を備えていることを特徴とする画像形成装置。
【請求項５】
請求項４記載の画像形成装置において、
前記ロック手段によってロックされている間は前記後処理ユニットへの電源供給を保持し、ロック解除時には電源供給を遮断する手段を備えていること
を特徴とする画像形成装置。
【請求項６】
請求項５記載の画像形成装置において、
前記後処理ユニットから前記反転ユニット及び前記穿孔ユニット側に電源供給を行う手段を備えていることを特徴とする画像形成装置。
【請求項７】
請求項６記載の画像形成装置において、
前記後処理ユニットをスライド移動させ、前記反転ユニットから離間したとき、前記反転ユニット側への電源供給を遮断する手段を備えていることを特徴とする画像形成装置。
【請求項８】
請求項２記載の画像形成装置において、
前記穿孔ユニットが前記配置空間に配置された場合、記録部材の搬送方向にスライド可能に前記穿孔ユニットの前面部を覆うカバーを設けることを特徴とする画像形成装置。
【請求項９】
請求項８記載の画像形成装置において、
前記カバーの前記穿孔ユニットが配置された側の面に、前記カバーを閉じるときに前記穿孔ユニットの穿孔屑ホッパに当接し、当該穿孔屑ホッパを奥側に後退させる突起部を設けたことを特徴とする画像形成装置。
【請求項１０】
請求項９記載の画像形成装置において、
前記突起部が、前記カバーを閉鎖方向にスライド移動させるにしたがって前記穿孔屑ホッパの後退量を大きくするテーパ部を備えていることを特徴とする画像形成装置。
【請求項１１】
請求項１ないし１０のいずれか１項に記載の画像形成装置において、
前記反転ユニットは、記録材を反転させて前段に戻すための反転経路を２系統備え、そのうち１系統は後段の後処理ユニットに記録部材を搬送する搬送経路を併用し、他の１系統は前記搬送経路から分岐して前記後処理ユニットと前記空間部の下面との間の空間部に至る分岐経路であることを特徴とする画像形成装置。
【請求項１２】
原稿の画像を読み取る画像読取部と、
前記画像読取部の下方に設けられた空間部を挟んで配置され、記録部材に画像を形成する画像形成部と、
前記画像形成部から前記画像読取部と前記画像形成部との間の前記空間部に記録部材を排出する排出部と、
を備えた画像形成装置に複数の後処理ユニットを装着する後処理ユニットの装着方法において、
前記空間部に、前記排出部から排出される記録部材に穿孔処理を施す穿孔ユニットを配置可能な配置空間を隔てて前記記録部材を前段から後段へ搬送し、あるいは反転させて前段に戻す反転ユニットと、当該反転ユニットから搬入された記録部材に対して所定の後処理を施す後処理ユニットを配置し、
前記配置空間には、前記穿孔ユニットまたは前記穿孔ユニットを省略して前記反転ユニットを配置することを特徴とする後処理ユニットの装着方法。
【請求項１３】
請求項１２記載の後処理ユニットの装着方法において、
前記後処理ユニットは前記反転ユニットの記録部材搬送方向下流側にスライド自在に配置されることを特徴とするユニットの装着方法。
【発明の詳細な説明】
【技術分野】
【０００１】
本発明は、画像形成後の用紙に対して所定の処理を施す用紙処理装置、及びこの用紙処理装置を備えた複写機、プリンタ、ファクシミリ、及びこれらの機能を複合して有するデジタル複合機などの画像形成装置及び当該画像形成装置への後処理ユニットの装着方法に関する。
【背景技術】
【０００２】
近年の画像形成装置をコアとした画像形成システムにおいては、パンチ、綴じ、仕分けといった複写用紙あるいはプリントアウト紙への後処理の要求が高まっている。このような処理を行う後処理装置は、用紙が画像形成装置本体の側面から排出されるタイプのものと、装置本体の設置面積内部に胴内空間を持ち、用紙が胴内空間に排出されるタイプのものがある。前者の用紙が画像形成装置本体の側面から排出されるタイプのものでは、画像形成装置の外側の側面に連結される構成になっており、画像形成システムのシステムを構成する装置全体の設置スペースが大きくなっていた。
【０００３】
これに対し、後者の用紙が胴内空間に排出されるタイプのものでは、後処理装置を含めた画像形成システムは画像形成装置単体と同程度の設置面積となる。そのため、前述の画像形成装置本体の側面に連結されるタイプの画像形成システムに対して大幅な省スペースを達成することになる。
【０００４】
このような胴内空間に用紙を排紙するものとしては、例えば特許文献１あるいは２に記載されている発明が公知である。このうち、特許文献１には、シート後処理装置全体を引き出し可能に支持するスライドレールを備え、シート後処理装置全体を斜め手前に引き出せるようにした画像形成装置が開示されている。この画像形成装置では、シート後処理装置全体を斜め手前に引き出し、シート後処理装置のステイプラユニットのメンテナンスを容易に行うことができるようになっている。
【０００５】
また、特許文献２には、原稿を走査するスキャナ部と、装置本体内であって前記スキャナ部の下方に設けられ、排紙トレイ上に排出された画像形成後の転写紙を装置本体前面の開放部から取り出し可能にする装置内排紙部とを備えた画像形成装置において、装置内排紙部に、排出されて積載された最上位の転写紙の紙面の位置を検知する転写紙積載位置検知手段と、転写紙を載置するトレイ面が該転写紙の積載方向に変位するように移動可能な可動排紙トレイと、可動排紙トレイをトレイ面が積載方向に変位するように移動させる可動排紙トレイ移動手段とを設けると共に、転写紙積載位置検知手段が検知する転写紙の積載位置に応じて可動排紙トレイ移動手段を駆動させて可動排紙トレイを最上位の転写紙の紙面の位置とスキャナ部の下面との間に転写紙を取り出す空間を形成しながら転写紙の積載に適した位置に移動させる可動排紙トレイ移動制御手段を設けたことを特徴とする画像形成装置が開示されている。
【特許文献１】特開２００５−３０８９１１号公報
【特許文献２】特許第３８９８３５８号公報
【発明の開示】
【発明が解決しようとする課題】
【０００６】
上記したように引用文献１記載の発明では、シート後処理装置全体を斜め手前に引き出し、シート後処理装置のステイプラユニットのメンテナンスを容易に行うことができるようになっており、引用文献２記載の発明では、胴内に、転写紙を取り出す空間を形成しながら転写紙の積載に適した位置に移動させる可動排紙トレイを設けている。
【０００７】
しかし、引用文献１記載の発明では、後処理装置全体がスライド移動するようになっており、後処理装置の各処理ユニット単位で着脱するようになっておらず、分割部から先がスライドするようにもなっていない。また、引用文献２記載の発明に開示されているのは、胴内排紙部で積載高さが可変である可動トレイであり、用紙に後処理を施す後処理機能は備えていない。
【０００８】
さらに、ユーザの要求仕様は多様化しており、例えばステープル機能は必要であるがパンチ機能は不要、といったようなユーザの要求仕様の場合、一般的には、不要なパンチ部分は取り外して替わりにダミーユニットを組み込み、ユニット全体の外形的な構成は変わらないようにして使用されていた。この状態を図４４に示す。図４４はダミーユニットＤＭＹを胴内排紙部に組み込んだ後、処理装置Ｆを装着した例であり、後処理装置Ｆの前段には反転ユニットＲが装着されている。なお、図において付した符号は、後述の実施形態と同一なので、ここでの説明は省略する。
【０００９】
しかし、ダミーユニットを組み込む場合、ダミーユニットは機能を持たない無駄な部品であり、ダミーユニットの分の費用とその分のスペースが無駄となる。
【００１０】
そこで、本発明が解決しようとする課題は、部品及びスペースの無駄がなく、省スペース化を促進させることにある。
【課題を解決するための手段】
【００１１】
前記課題を解決するため、第１の手段は、原稿の画像を読み取る画像読取部と、前記画像読取部の下方に設けられた空間部を挟んで配置され、記録部材に画像を形成する画像形成部と、前記画像形成部から前記画像読取部と前記画像形成部との間の前記空間部に記録部材を排出する排出部と、を備えた画像形成装置において、前記空間部に、前記排出部から排出される記録部材に穿孔処理を施す穿孔ユニットを配置可能な配置空間を隔てて前記記録部材を前段から後段へ搬送し、あるいは反転させて前段に戻す反転ユニットと、当該反転ユニットから搬入された記録部材に対して所定の後処理を施す後処理ユニットが設けられ、前記配置空間には、前記穿孔ユニットまたは前記穿孔ユニットを省略して前記反転ユニットが配置されることを特徴とする。
【００１２】
第２の手段は、第１の手段において、前記空間部を構成する画像形成装置本体側と前記穿孔ユニットとの間で位置決めする第１の位置決め手段と、前記穿孔ユニットと前記反転ユニットの間で位置決めする第２の位置決め手段と、を備え、前記穿孔ユニットを前記配置空間に配置する場合には、前記第１及び第２の位置決め手段によって位置決めすることを特徴とする。
【００１３】
第３の手段は、第１または第２の手段において、前記後処理ユニットが記録部材の搬送方向にスライド可能に設置されていることを特徴とする。
【００１４】
第４の手段は、第３の手段において、前記後処理ユニットのスライド移動を規制するロック手段を備えていることを特徴とする。
【００１５】
第５の手段は、第４の手段において、前記ロック手段によってロックされている間は前記後処理ユニットへの電源供給を保持し、ロック解除時には電源供給を遮断する手段を備えていることを特徴とする。
【００１６】
第６の手段は、第５の手段において、前記後処理ユニットから前記反転ユニット及び前記穿孔ユニット側に電源供給を行う手段を備えていることを特徴とする。
【００１７】
第７の手段は、第６の手段において、前記後処理ユニットをスライド移動させ、前記反転ユニットから離間したとき、前記反転ユニット側への電源供給を遮断する手段を備えていることを特徴とする。
【００１８】
第８の手段は、第２の手段において、前記穿孔ユニットが前記配置空間に配置された場合、記録部材の搬送方向にスライド可能に前記穿孔ユニットの前面部を覆うカバーを設けることを特徴とする。
【００１９】
第９の手段は、第８の手段において、前記カバーの前記穿孔ユニットが配置された側の面に、前記カバーを閉じるときに前記穿孔ユニットの穿孔屑ホッパに当接し、当該穿孔屑ホッパを奥側に後退させる突起部を設けたことを特徴とする。
【００２０】
第１０の手段は、第９の手段において、前記突起部が、前記カバーを閉鎖方向にスライド移動させるにしたがって前記穿孔屑ホッパの後退量を大きくするテーパ部を備えていることを特徴とする。
【００２１】
第１１の手段は、第１ないし第１０のいずれかの手段において、前記反転ユニットは、記録材を反転させて前段に戻すための反転経路を２系統備え、そのうち１系統は後段の後処理ユニットに記録部材を搬送する搬送経路を併用し、他の１系統は前記搬送経路から分岐して前記後処理ユニットと前記空間部の下面との間の空間に至る分岐経路であることを特徴とする。
【００２２】
第１２の手段は、原稿の画像を読み取る画像読取部と、前記画像読取部の下方に設けられた空間部を挟んで配置され、記録部材に画像を形成する画像形成部と、前記画像形成部から前記画像読取部と前記画像形成部との間の前記空間部に記録部材を排出する排出部と、を備えた画像形成装置に複数の後処理ユニットを装着する後処理ユニットの装着方法において、前記空間部に、前記排出部から排出される記録部材に穿孔処理を施す穿孔ユニットを配置可能な配置空間を隔てて前記記録部材を前段から後段へ搬送し、あるいは反転させて前段に戻す反転ユニットと、当該反転ユニットから搬入された記録部材に対して所定の後処理を施す後処理ユニットを配置し、前記配置空間には、前記穿孔ユニットまたは前記穿孔ユニットを省略して前記反転ユニットを配置することを特徴とする。
【００２３】
第１３の手段は、第１２の手段において、前記後処理ユニットは前記反転ユニットの記録部材搬送方向下流側にスライド自在に配置されることを特徴とする。
【００２４】
なお、後述の実施形態では、画像読取部は符号Ｃに、画像形成部は符号Ｂに、空間部は胴内排紙空間Ｄに、記録部材は用紙Ｓ１に、排出部は縦搬送路５１の排紙口５３と反転ローラ対６に、画像形成装置は符号ＰＲに、穿孔ユニットは符号Ｐに、反転ユニットは符号Ｒに、後処理ユニットは符号Ｆに、第１の位置決め手段は第１の位置決め部４０に、第２の位置決め手段は第２の位置決め部４１に、ロック手段は移動側フック２１と固定側フック２２に、後処理ユニットへの電源供給を保持し、ロック解除時には電源供給を遮断する手段はインターロックスイッチ２８に、後処理ユニットを反転ユニットから離間したとき、反転ユニット側への電源供給を遮断する手段はドロワスイッチ３０ａ，３０ｂに、カバーは穿孔ユニットカバー３１に、穿孔屑ホッパは符号３２に、突起部は３１ａに、テーパ部は３１ｂに、２系統の反転経路は搬送路Ｒ１，Ｒ２に、空間部の下面との間の空間は搬送路Ｆ２に、それぞれ対応する。
【発明の効果】
【００２５】
本発明によれば、穿孔ユニットを配置可能な配置空間に穿孔ユニットを配置しない場合には、反転ユニットをその配置空間に配置するので、ダミーの穿孔ユニットを配置する必要がなくなり、部品及びスペースの無駄がなくなり、省スペース化を促進することができる。
【発明を実施するための最良の形態】
【００２６】
以下、本発明の実施形態について、図面を参照しながら説明する。
【００２７】
図１は本発明の実施形態に係る画像形成装置の概略構成を示す図である。同図において、画像形成装置ＰＲは給紙部Ａ、画像形成部Ｂ、及び画像読取部Ｃから構成されており、画像読取部Ｃの下部には画像形成部Ｂで印刷された用紙を収納する空間、すなわち胴内排紙空間Ｄが存在し、胴内排紙空間Ｄには用紙を積載する積載トレイＤ−１が具備されている。なお、画像形成部Ｂは給紙部Ａの上に載置され、画像読取部Ｃは画像形成装置Ｂの上に載置され、１つのシステムを構成している。
【００２８】
図２は図１における画像形成装置ＰＲの用紙搬送路を示す図である。用紙搬送路は給紙部Ａから用紙をピックアップして印刷手段側に搬送する縦搬送路５１と、用紙の裏面側にも印刷する際に搬送する両面搬送路５２とからなり、縦搬送路５１に沿って搬送ローラ対１，２，５が、両面搬送路５２に沿って搬送ローラ対７，８，９が設けられている。搬送ローラ対２の用紙搬送方向下流側には、用紙に画像を印刷する印刷部３と、胴内排紙空間Ｄの積載トレイＤ−１上へ用紙を排出する排紙ローラ対４と、用紙を反転させるときに正逆方向に回転する反転ローラ対６と、用紙を積載するときに反転する用紙搬送路を切り替え、また、両面搬送路５２側に用紙を送り込むときに搬送方向を切り替える第１ないし第３の切り替え爪ｔ１，ｔ２，ｔ３とが設けられている。なお、符号Ｅは右排紙ユニット、符号１０は右排紙ユニットＥに設けられた排紙ローラである。また、印刷部３は感光体ドラム３ａ及び転写ローラ３ｂを備え、公知の電子写真方式により印刷、あるいは画像転写を行う。なお、印刷部３の印刷形式は、この他にインクジェット方式、ジェルジェット方式などの染料や顔料インクを使用したものでもよい。
【００２９】
図３及び図４は、用紙の片面に画像を印刷するときの動作を示す動作説明図である。なお、図１及び図２に示した構成を同等の構成には、同一の参照符号を付し、重複する説明は省略する。以下、片面画像形成動作について説明する。
【００３０】
画像形成部Ｂは画像読取部Ｃから画像情報を取得し、給紙部Ａでは図３に示すように用紙束Ｓから用紙Ｓ１をピックアップし、当該用紙Ｓ１を画像形成部Ｂへ搬送する。画像形成部Ｂでは、搬送ローラ対１，２によって用紙を搬送し、印刷部３で画像情報に基づいて印刷処理を行う。次いで、図４に示すように片面に画像が印刷された用紙Ｓ１は切り替え爪ｔ１により排紙経路に送られ、排紙ローラ対４によって胴内排紙空間Ｄの積載トレイＤ−１上へ排出される。
【００３１】
図５ないし図９は、用紙の両面に画像を印刷するときの動作を示す動作説明図である。図５に示すように給紙部Ａの用紙束Ｓから搬送されてきた用紙Ｓ１の一側の面に画像形成部Ｂ内の印刷部３で画像が印刷され、その後、用紙Ｓ１は第１の切り替え爪ｔ１によってそのまま縦搬送路５１に沿って搬送される。縦搬送路５１に沿って搬送された用紙は、搬送ローラ対５によって搬送され、図６に示すように第２の切り替え爪ｔ２によって先端を排紙口５３から用紙収納部（胴内排紙空間）Ｄ側に出した状態で反転ローラ対６によってさらに搬送される。用紙Ｓ１は反転ローラ対６にて搬送され続けるが、図７に示すように用紙Ｓ１の後端が第２の切り替え爪ｔ２を通過すると、第２の切り替え爪ｔ２が切り替わり、図８に示すように反転ローラ対６が逆転して用紙Ｓ１をスイッチバックし、右搬送路５２ａ側に搬送し始める。その後、第３の切り替え爪ｔ３によって両面搬送路５２へ搬送し、そのまま用紙を搬送ローラ対７，８，９で搬送し続け、再び搬送ローラ対２を経て図９に示すように印刷部３側に搬送する。これにより印刷部３で他側の面に印刷を行い、その後、用紙Ｓ１は第１の切り替え爪ｔ１により排紙経路に送られ、排紙ローラ対４から胴内排紙空間Ｄの積載トレイＤ−１上へ排出される。
【００３２】
図１０ないし図１２は、右排紙ユニットＥを装着し、右排紙トレイＥ−１上に排紙するときの動作を示す動作説明図である。図１０に示すように給紙部Ａの用紙束Ｓから搬送されてきた用紙Ｓ１に画像形成部Ｂ内の印刷部３で画像が印刷された用紙Ｓ１は、第１の切り替え爪ｔ１により縦搬送路５１に沿って搬送され、搬送ローラ対５を経て第２の切り替え爪ｔ２によって反転経路へ一旦搬送される。用紙は反転ローラ対６にて搬送され続けるが、図１１に示すように用紙Ｓ１の後端が第２の切り替え爪ｔ２を通過すると、第２の切り替え爪ｔ２が切り替わり、さらに反転ローラ対６が逆転して用紙Ｓ１をスイッチバックして右搬送路５２ａに搬送し始める。そして図１２に示すように第３の切り替え爪ｔ３を経て右排紙ユニットの排紙ローラ１０によって右排紙トレイＥ−１に画像面を下にした状態で順次積載される。
【００３３】
図１３は増設排紙ユニットＤ−２を装着したときの構成を示す図である。図１３に示すように増設排紙ユニットＤ−２には排紙ローラ対１３と積載トレイ１４が設けられ、増設排紙ユニットＤ−２は画像形成装置ＰＲの胴内排紙空間Ｄの反転ローラ対６の下流に増設することができる。これにより両面印刷時、右排紙トレイＥ−１への排出時に用紙Ｓ１を反転する際には、反転ローラ対６と排紙ローラ対１３が同じ動作をして、用紙Ｓ１を積載トレイ１４上で受けることにより反転が可能となる。また、排紙先を増設ユニットＤ−２とすることにより、通常の排紙先である積載トレイＤ−１とは別の排紙先として増設排紙ユニットＤ−２を設定し、積載トレイ１４を排出先として使用することができる。
【００３４】
図１４及び図１５は画像形成装置ＰＲに後処理ユニットＦを装着する場合の機器の状態を示す図である。図１４に示す画像形成装置ＰＲの胴内排紙空間Ｄの積載トレイＤ−１は取り外すことができ、胴内排紙空間Ｄの空間を最大限に確保することができる。そしてこの空間には用紙Ｓ１に後処理を行う後処理ユニットＦを装着することができる。積載トレイＤ−１は画像形成部Ｂの内部を覆うカバーの役目も持ち合わせているため、積載トレイＤ−１を取り外した後には図１５に示すように仕切り板Ｄ−３で覆うことにより、画像形成部Ｂの内部を保護する。
【００３５】
後処理ユニットＦは、それだけを装着したのでは用紙Ｓ１の反転ができないため、装着時には反転ユニットＲが必要であり、また、反転ユニットＲの前段にはユーザの選択に応じて穿孔ユニットＰが装着される。
【００３６】
図１６は、画像形成装置ＰＲの胴内排紙空間Ｄに、上流側から順に、穿孔ユニットＰ、反転ユニットＲ、後処理ユニットＦの順で装着するときの状態（着脱可能な状態）を示す図で、図１７は前記順で装着し、動作可能な状態を示す図である。穿孔ユニットＰは搬送されてくる用紙Ｓ１の端部に１枚ずつ所定個所にパンチ処理を行う公知の構成のものである。反転ユニットＲは後処理ユニットＦを胴内排紙空間Ｄの空間に装着するために必要なユニットで、用紙Ｓ１の反転時に画像形成装置ＰＲの反転ローラ対６から出てくる用紙Ｓ１を受け入れてガイドする機能を有し、胴内排紙空間Ｄの空間が後処理ユニットＦで塞がれても、用紙Ｓ１の反転動作を妨げないようにする。そして、図１７に示すように後処理ユニットＦを反転ユニットＲの下流に装着する。
【００３７】
反転ユニットＲは２つの搬送路Ｒ１，Ｒ２を持ち、それぞれの搬送路Ｒ１，Ｒ２への切り替えは第４の切り替え爪ｔ４が行う。また、それぞれの搬送路Ｒ１，Ｒ２には搬送ローラ対１１、１２が設けられ、用紙Ｓ１の搬送をサポートする。そして、搬送路Ｒ１は後処理ユニットＦの上側の搬送路Ｆ１に接続され、搬送路Ｒ２は下側の搬送路Ｆ２に接続される。下側の搬送路Ｆ２は仕切り板Ｄ−３と後処理ユニットＦの底面との間の空間にからなる。後処理ユニットＦは搬送路、搬送ローラ、整合ユニット、綴じユニット、積載トレイなどを備え、印刷された用紙Ｓ１に対して後処理を行うことができる。
【００３８】
図１７に示すように穿孔ユニットＰの搬送路Ｐ１は排紙ローラ６の上流側の経路と接続され、反転ユニットＲの反転経路Ｒ１及びＲ２と接続される。そして、穿孔ユニットＰ、反転ユニットＲ及び後処理ユニットＦの三者が装着された状態で、後処理ユニットＦまでの排紙経路が形成されている。
【００３９】
図１８及び図１９は穿孔ユニットＰ、反転ユニットＲ及び後処理ユニットＦの三者のうち、穿孔ユニットＰを非装着とした場合の各部の状態を示す図である。この場合、穿孔ユニットＰを装着するか否かがユーザオプションで、ここでは非装着を選択した場合を示している。図１８は画像形成装置ＰＲの胴内排紙空間Ｄに、上流側から順に、反転ユニットＲ、後処理ユニットＦの順で、画像形成装置に直接装着するときの状態を示し、図１９は、図１８の状態から反転ユニットＲ及び後処理ユニットＦを装着し、動作可能な状態を示す。
【００４０】
図１９では、穿孔ユニットＰのスペース（配置空間）にダミーユニットＤＭＹを装着していないので、穿孔ユニットＰのスペース分、省スペース化を図ることができる、ということが分かる。当然、ダミーユニットＤＭＹの部品コストも不要であり、この分のコスト低減が可能であることも明白である。
【００４１】
以下、反転ユニットＲ及び後処理ユニットＦが装着されたとき（穿孔ユニットＰがシステムから取り除かれたとき）の動作について説明する。
【００４２】
図２０ないし図２２は片面印刷された用紙Ｓ１が後処理されるときの用紙Ｓ１の動きを示す動作説明図である。図２０に示すように画像形成部Ｂ内の印刷部３で画像が印刷された用紙Ｓ１は、第１及び第２の切り替え爪ｔ１，ｔ２によって、反転経路Ｒ１へガイドされながら搬送ローラ対５と反転ローラ対６によって搬送され、そのまま反転せずに反転ユニットＲ内へ搬送される。次に、図２１に示すように反転ユニットＲ内の第４の切り替え爪ｔ４と搬送ローラ対１１によって後処理ユニットＦへ搬送され、図２２に示すように後処理をされた後に積載トレイＦ３上へ積載される。
【００４３】
図２３ないし図２７は両面印刷された用紙が後処理されるときの用紙の動きを示す動作説明図である。図２３に示すように画像形成部Ｂ内の印刷部３で片面に画像が印刷された用紙Ｓ１は、第１及び第２の切り替え爪ｔ１，ｔ２によって、反転経路へガイドされながら搬送ローラ対５と反転ローラ対６によって搬送され、図２４に示すように反転ユニットＲ内へ搬送される。このとき、反転ユニットＲの第４の切り替え爪ｔ４によって後処理ユニットＦへの搬送路Ｒ１とは別の反転経路Ｒ２内へ搬送される。そして用紙Ｓ１の後端が第２の切り替え爪ｔ２を通過すると、第２の切り替え爪ｔ２が切り替わり、さらに反転ローラ対６が逆転し、図２５に示すように用紙Ｓ１をスイッチバックして画像形成部Ｂ内の右搬送路５２ａ、両面搬送路５２へ用紙Ｓ１を搬送する。その後は図２６に示すように、反転した反対側の面に印刷部３で印刷し、図２７に示すように再び反転ユニットＲに搬送され、第４の切り替え爪ｔ４が切り替わって搬送路Ｒ１から用紙Ｓ１を後処理ユニットＦ内へ搬送する。
【００４４】
図２８は右排紙ユニットＥを装着し、右排紙トレイＥ−１上へ排紙したときの状態を示す動作説明図である。右排紙ユニットＥを装着したとき、右排紙トレイＥ−１上へ排紙する場合には、両面印刷時と同様に図２３及び図２４に示すように、画像形成部Ｂ内の印刷部３で片面に画像が印刷された用紙Ｓ１は、第１の切り替え爪ｔ１、搬送ローラ対５、切り替え爪ｔ２を経て反転ローラ対６によって反転ユニットＲ内の反転経路１１内へ搬送される。そして用紙Ｓ１の後端が第２の切り替え爪ｔ２を通過すると、第２の切り替え爪ｔ２が切り替わり、さらに反転ローラ対６が逆転して、図２８に示すように用紙Ｓ１をスイッチバックして画像形成部Ｂ内の右搬送路５２ａへ搬送する。その後、第３の切り替え爪ｔ３を経て右排紙ユニットＥの排紙ローラ１０によって右排紙トレイＥ−１上に画像面を下にした状態で順次積載される。
【００４５】
図２９は穿孔ユニットＰ装着時に、図３０は穿孔ユニットＰ非装着時に後処理ユニットＦがスライド移動し、反転ユニットＲとの間に開口を形成するときの状態を示す図である。この状態でジャム処理が行われる。すなわち、図１７あるいは図１９の状態で印刷（画像形成）し、後処理しているときに、後処理ユニットＦあるいは胴内排紙空間Ｄで用紙ジャムが発生したときには、図１７あるいは図１９の状態から後処理ユニットＦを引き出し、装置の前面側からジャム処理を行う。図１７あるいは図１９の動作可能状態では、後述のロック機構により、スライド動作を規制し、この状態を保持するようになっている。
【００４６】
図３１及び図３２は本実施形態におけるロック機構の一例を示す動作説明図である。ロック機構は後処理ユニットＦ側に設けられた移動側フック２１と画像形成装置ＰＲ側に設けられた固定側フック２２とからなる。移動側フック２１は、本体部が回動軸２１ｃに回動可能に支持され、本体部の図示左側に左フック２１ａが、図示右側に右フック２１ｂがそれぞれ下側に突出し、本体部の回動軸２１ｃの前記フック突出側とは逆側に解除レバー２１ｄが設けられている。一方、画像形成装置ＰＲ側には、固定側フック２２が画像形成装置ＰＲに固定され、画像形成装置ＰＲの固定側フック設置面に沿って圧縮スプリング２４によってスライダ２３が弾性付勢された状態で配置されている。
【００４７】
このようなロック機構では、後処理ユニットＦを図２９あるいは図３０の開口状態から閉じてくる場合（図３１矢印方向）、後処理ユニットＦ側にある移動側フック２１の左フック２１ａが、画像形成装置ＰＲ側にある固定側フック２２から圧縮スプリング２４により左側に付勢されたスライダ２３に押され、移動側フック２１が回動軸２１ｃ周りに回転し（図３１）、右フック２１ｂが固定側フック２１に噛み合い、この状態を保持しスライド動作を規制する（図３２）。なお、解除レバー２１ｄは図３２に示すロック状態を解除するためのものである。
【００４８】
後処理ユニットＦを引き出し、開口を形成する場合には、ユーザ若しくはオペレータが胴内排紙空間Ｄに手を入れることになるので、安全性の観点から後処理ユニットＦの動作を不能にする必要がある。そのため、ロック解除時に後処理ユニットＦの電源供給が切れるようになっている。図３３及び図３４はこの電源オフとする機構と動作を示す図で、図３３は非ロック状態、図３４はロック状態である。なお、これらの図において（ａ）は平面図、（ｂ）は正面図である。
【００４９】
図３３及び図３４において、後処理ユニットＦの前カバー２５には、スライド操作するための取手２６が設けられ、取手２６は引っ張りスプリング２７により前カバー２５に対して図示左側（後処理ユニットを引き抜く方向）に弾性付勢されている。取手２６にはさらに移動側フック２１に当接する凸部２６ａと、インターロックスイッチ２８を押す突起２６ｂが設けられている。後処理ユニットＦがロック状態では、図３４に示すように突起２６ｂａはインターロックスイッチ２８を押しており、後処理ユニットＦは通電している。この状態から取手を左に引くと、凸部２６ａが移動側フック２１の解除レバー部２１ｄを押してロックを解除すると同時に、取手２６は引っ張りスプリング２７により左に引かれ、図３３に示すように突起２６ｂはインターロックスイッチ２８から所定量離間し、インターロックスイッチ２８を解除する。すなわちこの構成によりロック解除時には後処理ユニットＦへの電源供給が断たれることになる。
【００５０】
図３５は後処理ユニットＦへの電源供給の経路の一例を示す図である。電源は画像形成装置ＰＲから後処理ユニットＦへインターフェースケーブル２９を介して供給され、さらに後処理ユニットＦから、反転ユニットＲ及び穿孔ユニットＰへ供給される。後処理ユニットＦから反転ユニットＲ及び穿孔ユニットＰへの電気的接続に、例えば図３６に示すように、ドロワコネクタ３０ａ，３０ｂを用いると、後処理ユニットＦをスライド開口すると同時に、必然的に反転ユニットＲ及び穿孔ユニットＰへの電源供給が切れる。
【００５１】
図３７ないし図３９は穿孔ユニットカバー３１の一例を示す図である。穿孔ユニットＰは内部に穿孔屑ホッパ３２を備えており、穿孔屑を捨てるメンテナンスが随時必要になるため、穿孔屑ホッパ３２にアクセスするためにカバー３１は開口できることが必須である。穿孔ユニットカバー３１は、図３９に示すように後処理ユニットＦと同様に、用紙の搬送方向にスライド可能となっており、穿孔ユニットＰのみならず、反転ユニットＲもカバーできるようになっている。図３７は、穿孔ユニットカバー３１を全開放した状態を示し、図３８は全閉鎖した状態を示す。また、図３９は途中まで開放した状態を示す。
【００５２】
穿孔ユニットカバー３１の裏側には、図４０及び図４１に示すようなテーパ部３１ｂを有する突起部３１ａが設けられ、穿孔屑ホッパ３２が所定位置近くではあるが所定位置に収まりきっていない場合（図４０）、穿孔ユニットカバー３１の閉じ方向のスライド動作により突起部３１ａが穿孔屑ホッパ３２の前面部を押し（図４１）、テーパ部３１ｂがその突出量に応じて穿孔屑ホッパ３２を所定位置まで押し込むことができる。
【００５３】
図４２は穿孔ユニットＰ及び反転ユニットＲの位置決めの状態を示す斜視図である。穿孔ユニットＰ装着時には、穿孔ユニットＰの第１の位置決め部４０と画像形成装置ＰＲ側の位置決め部Ｈ１、Ｈ２、Ｈ３により、穿孔ユニットＰが画像形成装置ＰＲに位置決めされ、装着される。加えて反転ユニットＲ装着時には、反転ユニットＲと穿孔ユニットＰにある第２の位置決め部４１により、反転ユニットＲが穿孔ユニットＰに位置決めされ、装着される。これによりその間で用紙を受け渡す反転ユニットＲと穿孔ユニットＰの間は、高精度に装着することが可能となる。
【００５４】
本実施形態では、画像形成装置ＰＲ側の位置決め部Ｈ１，Ｈ２，Ｈ３のうち、Ｈ１は位置決め孔、Ｈ２は位置決め溝、Ｈ３はねじ孔である。位置決め部Ｈ１及びＨ２は画像形成装置ＰＲの胴内排紙空間Ｄの奥側の側板に形成され、位置決め部Ｈ３は正面視右側の側板に設けられている。反転ユニットＲと穿孔ユニットＰの位置決めは、突起４２ａと孔４２ｂの組み合わせによって行われ、穿孔ユニットＰの突起４２ｂに反転ユニットＲの孔４２ａを挿通して互いの位置を規定した後、第２の位置決め部４１に反転ユニットＲ側からねじ締めし、穿孔ユニットＰと反転ユニットＲを一体に固定する。
【００５５】
このように穿孔ユニットＰと反転ユニットＲを一体にした後、胴内排紙空間Ｄに左側の開口部から挿入し、右側の側面に押し当て（矢印Ｔ１方向）、奥側にスライドさせる（矢印Ｔ２方向）。これにより、穿孔ユニットＰの第１の位置決め部４０を構成する突起が画像形成装置ＰＲ側の位置決め孔Ｈ１と位置決め溝Ｈ２に嵌合し、胴内排紙空間Ｄの仕切り板Ｄ−３、奥側の側板、右側の側面との間で位置決めされ、この状態でねじ孔Ｈ３に穿孔ユニットＰをねじ止めする。これにより穿孔ユニットＰと反転ユニットＲが一体化された状態で位置決めされ、固定される。その後、図２９に示すように後処理ユニットＦを反転ユニットＲ側に挿入し、密着させてシステムを構成する。
【００５６】
なお、前述のダミーを使用する場合には、穿孔ユニットＰの代わりにダミーユニットＤＭＹを同様の作業により固定して、同様の形態のシステムを構成する。
【００５７】
また、反転ユニットＲのみ使用して用紙Ｓ１の反転動作を行わせることもできる。すなわち、用紙Ｓ１が大サイズの場合には、前述の図１１に示すように用紙Ｓ１が排紙口５３から垂れてしまい、反転ローラ６で反転動作を行う際に、滑りが生じ、反転動作を精度良く行えない場合がある。このような場合には、図４３に示すように反転ユニットＲを胴内排紙空間Ｄの排紙側の側板に取り付け、反転ユニットＲを使用して反転させる。この場合、反転ユニットＲには搬送ローラ対１１，１２が設けられているので、いずれの搬送路Ｒ１，Ｒ２を利用するにしても反転ローラ対６に過剰な負荷がかかることはないので、反転動作を精度良く行うことができる。
【００５８】
以上のように、本実施形態によれば、次のような効果を奏する。
【００５９】
１）胴内排紙空間Ｄに、上流側から順に、穿孔ユニットＰ、反転ユニットＲ、後処理ユニットＦが着脱可能である画像形成装置ＰＲにおいて、穿孔ユニットＰ非装着の場合には、上流側から順に、反転ユニットＲ、後処理ユニットＦの順で、前記胴内排紙空間Ｄに配置し、画像形成装置ＰＲに直接接続するので、穿孔ユニットＰを装着しない構成の場合、ダミーユニットが不要となる。これにより、本来穿孔ユニットＰを装着するためのスペースを詰めることができ、ダミーユニット分のコストダウン、省スペース化ができる。また、詰めた分、後処理ユニットＦの突出部が減少するので、設置したときに邪魔にならず、使用性の向上も図ることができる。
【００６０】
２）胴内排紙空間Ｄに、穿孔ユニットＰ非装着の場合に、上流側から順に、反転ユニットＲ、後処理ユニットＦの順で配置したとき、後処理ユニットは用紙Ｓ１の搬送方向にスライド可能であるので、後処理ユニットを反転ユニットから離れる方向にスライド移動させると、両者間に開口部を形成することができる。これにより、当該開口部から手を入れて後処理ユニット及び反転ユニットのジャム処理を容易に行うことができる。
【００６１】
３）胴内排紙空間Ｄに穿孔ユニットＰを装着した場合、穿孔ユニットＰは、画像形成装置ＰＲの胴内排紙空間Ｄに穿孔ユニットＰを接続する第１の位置決め部４０、及び穿孔ユニットＰと反転ユニットＲを接続する第２の位置決め部４１を備えているので、画像形成装置ＰＲに複数の位置決め部を設ける必要がなくなる。これにより、画像形成装置ＰＲのフレーム剛性低下を防止し、かつ低コスト化が可能になる。また隣接するユニット同士が直接位置決め接続されるので、搬送路の受け渡し部の精度を容易に保証することができる。
【００６２】
４）後処理ユニットＦのスライド動作を規制するロック機構として移動側フック２１と固定側フック２２とを備え、両者のロック動作によってスライド動作をロックし、不用意なスライド開口を防止することができる。
【００６３】
５）スライド動作を規制するロック機構のロック解除時には後処理ユニットＦの電源供給が切れ、すなわちスライド開口と同時に後処理ユニットへのインターロックスイッチ２８の開動作により電源供給が切れるので、後処理ユニットＦのジャム処理やメンテナンス時に、誤動作による危険が生じない。
【００６４】
６）反転ユニットＲ及び穿孔ユニットＰへの電源供給は、後処理ユニットＦから行われるので、後処理ユニットＦがスライドし、反転ユニットＲとの間に開口が生じたとき、スライド開口と同時にドロワコネクタ３０ａ，３０ｂが外れ、反転ユニットＲ及び穿孔ユニットＰへの電源供給が切れるので、穿孔ユニットＲ及び反転ユニットＰのジャム処理やメンテナンス時に、誤動作による危険がない。
【００６５】
７）穿孔ユニットＰを装着する場合、穿孔ユニットＰは、用紙Ｓ１の搬送方向にスライド可能な穿孔ユニットカバー３１を備え、後処理ユニットＦと同じ方向のスライドなので、ユーザにとって穿孔ユニットカバー３１の動作方向が分かりやすく、操作しやすい。また、後処理ユニットＦを開放した状態から閉鎖するとき、穿孔ユニットカバー３１は後処理ユニットＦ若しくは後処理ユニットｆの前カバー２５に押されて閉まるので、操作性にも優れている。
【００６６】
８）穿孔ユニットカバー３１の裏面側に突起３１ａを備え、その突起３１ａにスライド方向に対して垂直方向に作用するテーパ部３１ｂが形成されているので、穿孔ユニットＰ内部に着脱可能に備えている穿孔屑ホッパ３２が所定の取付け位置まで挿入されていない場合に、テーパ部３１ｂが穿孔屑ホッパ３２手前端部に当接して所定位置まで押し込むことができる。これにより、穿孔屑ホッパ３２の不完全挿入を防止することが可能となる。
【００６７】
なお、本発明は本実施形態に限定されるものではなく、特許請求の範囲に記載された技術思想に含まれる技術的事項の全てが対象となることは言うまでもない。
【図面の簡単な説明】
【００６８】
【図１】本発明の実施形態に係る画像形成装置の概略構成を示す図である。
【図２】図１における画像形成装置の用紙搬送路を示す図である。
【図３】用紙の片面に画像を印刷するときの動作を示す動作説明図で、用紙が印刷位置にある状態を示す。
【図４】用紙の片面に画像を印刷するときの動作を示す動作説明図で、用紙が胴内排紙空間に排紙されるときの状態を示す。
【図５】用紙の両面に画像を印刷するときの動作を示す動作説明図で、用紙が印刷位置にある状態を示す。
【図６】用紙の両面に画像を印刷するときの動作を示す動作説明図で、反転時に用紙の先端が胴内排紙空間に突出した状態を示す。
【図７】用紙の両面に画像を印刷するときの動作を示す動作説明図で、反転時に用紙が胴内排紙空間に突出し、反転ローラで反転を開始するときの状態を示す。
【図８】用紙の両面に画像を印刷するときの動作を示す動作説明図で、反転して用紙が両面搬送路に搬送されるときの状態を示す。
【図９】用紙の両面に画像を印刷するときの動作を示す動作説明図で、反転後、反対面に印刷され、胴内排紙空間に排紙される状態を示す。
【図１０】右排紙ユニットを装着し、右排紙トレイ上に排紙するときの動作を示す動作説明図で、用紙が印刷位置にある状態を示す。
【図１１】右排紙ユニットを装着し、右排紙トレイ上に排紙するときの動作を示す動作説明図で、反転時に用紙が胴内排紙空間に突出し、反転ローラで反転を開始するときの状態を示す。
【図１２】右排紙ユニットを装着し、右排紙トレイ上に排紙するときの動作を示す動作説明図で、右排紙トレイに排紙されている状態を示す。
【図１３】増設排紙ユニットを装着したときの構成を示す図である。
【図１４】画像形成装置に後処理ユニットを装着する場合の機器の状態を示す図である。
【図１５】画像形成装置に後処理ユニットを装着する場合の機器の状態を示す図で、積載トレイを取り外した後に仕切り板で覆った状態を示す。
【図１６】画像形成装置の胴内排紙空間に穿孔ユニット、反転ユニット、後処理ユニットの順で装着するときの状態を示す説明図である。
【図１７】図１６に示した順で胴内排紙空間に穿孔ユニット、反転ユニット、後処理ユニットを装着し、動作可能な状態を示す図である。
【図１８】穿孔ユニット、反転ユニット及び後処理ユニットの三者のうち、穿孔ユニットが非装着とした場合の各部の状態を示す図で、胴内排紙空間に順に反転ユニット、後処理ユニットの順で直接装着するときの状態を示す。
【図１９】図１８の状態から反転ユニット及び後処理ユニットを装着し、動作可能な状態を示す図である。
【図２０】片面印刷された用紙が後処理されるときの用紙の動きを示す動作説明図で、用紙が印刷位置にある状態を示す。
【図２１】片面印刷された用紙が後処理されるときの用紙の動きを示す動作説明図で、用紙が反転ユニットから後処理ユニットに搬送されている状態を示す。
【図２２】片面印刷された用紙が後処理されるときの用紙の動きを示す動作説明図で、用紙が後処理ユニットの積載トレイに積載されている状態を示す。
【図２３】両面印刷された用紙が後処理されるときの用紙の動きを示す動作説明図で、用紙が印刷位置から反転位置に至る状態を示す。
【図２４】両面印刷された用紙が後処理されるときの用紙の動きを示す動作説明図で、用紙が反転ユニットで反転するときの状態を示す。
【図２５】両面印刷された用紙が後処理されるときの用紙の動きを示す動作説明図で、用紙が反転ユニットで反転し、両面搬送路に搬送されている状態を示す。
【図２６】両面印刷された用紙が後処理されるときの用紙の動きを示す動作説明図で、用紙が両面搬送路を経て印刷位置に達し、反対面に印刷されている状態を示す。
【図２７】両面印刷された用紙が後処理されるときの用紙の動きを示す動作説明図で、両面印刷後、用紙が反転ユニットを経て後処理ユニットに至った状態を示す。
【図２８】右排紙ユニットを装着し、右排紙トレイ上へ排紙したときの状態を示す動作説明図である。
【図２９】穿孔ユニット装着時に後処理ユニットがスライド移動し、反転ユニットとの間に開口を形成するときの状態を示す図である。
【図３０】穿孔ユニット非装着時に後処理ユニットがスライド移動し、反転ユニットとの間に開口を形成するときの状態を示す図である。
【図３１】ロック機構の一例を示す動作説明図で、ロック前の状態を示す。
【図３２】ロック機構の一例を示す動作説明図で、ロックしたときの状態を示す。
【図３３】ロック機構に連動して電源オフとする機構と動作を示す図で、非ロック状態を示す。
【図３４】ロック機構に連動して電源オフとする機構と動作を示す図で、ロック状態を示す。
【図３５】後処理ユニットから反転ユニット及び穿孔ユニットへの電気的接続にドロワコネクタを用いた例を示す図で、後処理ユニットが開放された状態を示す。
【図３６】後処理ユニットから反転ユニット及び穿孔ユニットへの電気的接続にドロワコネクタを用いた例を示す図で、後処理ユニットが閉鎖された状態を示す。
【図３７】穿孔ユニットカバーの一例を示す説明図で、後処理ユニットの前カバーと穿孔ユニットのカバーを全開放した状態を示す。
【図３８】図３７の状態から穿孔ユニットカバーを全閉鎖した状態を示す図である。
【図３９】図３８の状態から穿孔ユニットカバーを途中まで開放した状態を示す図である。
【図４０】穿孔ユニットカバーと穿孔屑ホッパの関係を示す動作説明図で、穿孔ユニットカバーを閉じるときの状態を示す。
【図４１】穿孔ユニットカバーと穿孔屑ホッパの関係を示す動作説明図で、穿孔ユニットカバーを閉じる際に穿孔屑ホッパを押し込むときの状態を示す。
【図４２】穿孔ユニット及び反転ユニットの位置決めの状態を示す斜視図である。
【図４３】反転ユニットのみを取り付けたときの構成を示す図である。
【図４４】従来例におけるダミーユニットを取り付けたときの構成を示す図である。
【符号の説明】
【００６９】
６  反転ローラ対
２１  移動側フック
２２  固定側フック
２８  インターロックスイッチ
３０ａ，３０ｂ  ドロワスイッチ
３１  穿孔ユニットカバー
３１ａ  突起部
３１ｂ  テーパ部
３２  穿孔屑ホッパ
４０  第１の位置決め部
４１  第２の位置決め部
５１  縦搬送路
５２  両面搬送路
５３  排紙口
Ａ  給紙部
Ｂ  画像形成部
Ｃ  画像読取部
Ｄ  胴内排紙空間
Ｆ  後処理ユニット
Ｆ２  搬送路
Ｐ  穿孔ユニット
ＰＲ  画像形成装置
Ｒ  反転ユニット
Ｒ１，Ｒ２  搬送路
Ｓ１  用紙
【図１】
2010085431.tif 000003
【図２】
2010085431.tif 000004
【図３】
2010085431.tif 000005
【図４】
2010085431.tif 000006
【図５】
2010085431.tif 000007
【図６】
2010085431.tif 000008
【図７】
2010085431.tif 000009
【図８】
2010085431.tif 000010
【図９】
2010085431.tif 000011
【図１０】
2010085431.tif 000012
【図１１】
2010085431.tif 000013
【図１２】
2010085431.tif 000014
【図１３】
2010085431.tif 000015
【図１４】
2010085431.tif 000016
【図１５】
2010085431.tif 000017
【図１６】
2010085431.tif 000018
【図１７】
2010085431.tif 000019
【図１８】
2010085431.tif 000020
【図１９】
2010085431.tif 000021
【図２０】
2010085431.tif 000022
【図２１】
2010085431.tif 000023
【図２２】
2010085431.tif 000024
【図２３】
2010085431.tif 000025
【図２４】
2010085431.tif 000026
【図２５】
2010085431.tif 000027
【図２６】
2010085431.tif 000028
【図２７】
2010085431.tif 000029
【図２８】
2010085431.tif 000030
【図２９】
2010085431.tif 000031
【図３０】
2010085431.tif 000032
【図３１】
2010085431.tif 000033
【図３２】
2010085431.tif 000034
【図３３】
2010085431.tif 000035
【図３４】
2010085431.tif 000036
【図３５】
2010085431.tif 000037
【図３６】
2010085431.tif 000038
【図３７】
2010085431.tif 000039
【図３８】
2010085431.tif 000040
【図３９】
2010085431.tif 000041
【図４０】
2010085431.tif 000042
【図４１】
2010085431.tif 000043
【図４２】
2010085431.tif 000044
【図４３】
2010085431.tif 000045
【図４４】
2010085431.tif 000046